(57)【要約】      （修正有）【課題】精米工場の貯蔵タンクから少量の試験用のサンプル米を抜き取る装置に関し、貯蔵タンクの側壁や底壁から必要なだけの任意量の穀物を簡単な操作で抜き取って検査可能とする。【解決手段】貯蔵タンク２の側壁や底壁に抜き取り用の窓穴を開けて、底部に小型ホッパー３のついた小容器１を前記窓穴に被せるように取付けると共に、前記窓穴を開閉するシャッターを上下方向にスライド可能に設けてなる穀物の抜き取り装置であり、貯蔵タンクの低い安全な位置を開閉して、穀物を抜き取って検査に供でき、抜き取り作業が簡便になり、迅速に検査に取りかかれる。【選択図】図１
2007044670.tif 000002
【特許請求の範囲】
【請求項１】
貯蔵タンクの側壁部ないし底壁部などに抜き取り用の窓穴を開けて、底部に小型ホッパーのついた小容器を前記窓穴に被せるように取付けると共に、前記窓穴を開閉するシャッターをスライド可能に設けてなることを特徴とする穀物の抜き取り装置。
【請求項２】
前記のシャッターを上下方向に駆動して開閉する駆動手段を連結してなることを特徴とする請求項１に記載の穀物の抜き取り装置。
【請求項３】
貯蔵タンクの側壁部ないし底壁部などに開けた、抜き取り用の窓穴に被せて使用するための、底部に小型ホッパーのついた穀物抜き取り容器であって、
前記窓穴を開閉するシャッターの左右両側を上下方向にガイドする溝を設けると共に、該溝の下部は、穀物が挟まらないように、少なくとも容器内部側の溝縁を除去してあることを特徴とする穀物の抜き取り容器。
【発明の詳細な説明】
【技術分野】
【０００１】
本発明は、例えば精米工場の貯蔵タンクなどから少量の試験用のサンプル米を抜き取る装置に関する。
【背景技術】
【０００２】
このように、貯蔵タンクから玄米や白米などのサンプリング検査用の米を抜き取るには、高所にあるタンク上部の蓋を開けて直接に取り出すこともできるが、危険を伴いかつ不便である。包装機で一斉に多数袋詰めした後、任意の一つの袋を開封して検査用の米を抜き取ることもできる。こうして抜き取った米を分析したり、炊飯試験したり、各種の試験を行なう。
【０００３】
このようなサンプリング検査用の米を抜き取る手法について先行技術調査をしても、近似するような技術は存在しなかった。特開2003−247947号として穀物検査装置があり、特開2003−337107号として穀物検査機の穀物受皿などがあるが、本発明とは直接的な関係はない。
【特許文献１】特開2003−247947号
【特許文献２】特開2003−337107号
【発明の開示】
【発明が解決しようとする課題】
【０００４】
前記のように、製品として一旦多数袋詰めした後、任意の一つの袋を開封して検査用の米を抜き取る手法は、蓋を開けて高所で抜き取る方法に比べると安全ではあるが、少量のサンプリング米を抜き取った後の米は、高所からタンクに戻すわけにはいかないし、開封してしまった１袋全体が無駄になってしまい、もったいない。
【０００５】
本発明の技術的課題は、このような問題に着目し、貯蔵タンクの側壁又は底壁から必要なだけの任意量の穀物を簡単な操作で抜き取って検査可能とすることにある。
【課題を解決するための手段】
【０００６】
本発明の技術的課題は次のような手段によって解決される。請求項１は、貯蔵タンクの側壁部ないし底壁部などに抜き取り用の窓穴を開けて、底部に小型ホッパーのついた小容器を前記窓穴に被せるように取付けると共に、前記窓穴を開閉するシャッターをスライド可能に設けてなることを特徴とする穀物の抜き取り装置である。このように、貯蔵タンクの側壁部ないし底壁部などに抜き取り用の窓穴を開けて、スライド式のシャッターでこの窓穴を開閉して、試験用の穀物を抜き取る構造であるため、貯蔵タンクの低い安全な位置を開閉し、穀物を抜き取って検査に供することができる。抜き取り量は、シャッターの開放時間によって任意に設定できる。また、底部に小型ホッパーのついた小容器を前記窓穴に被せて固定するだけであるから、この小容器に試験用穀物を一旦取り込んで、シャッターを閉じた状態で、小容器底部の小型ホッパーから排出させる。その結果、小容器中を残らず全部スムーズに排出でき、抜き取り作業が簡単になり、迅速に検査に取りかかることができる。
【０００７】
請求項２は、前記のシャッターを上下方向に駆動して開閉する駆動手段を連結してなることを特徴とする請求項１に記載の穀物の抜き取り装置である。このように、前記窓穴の開閉シャッターを上下方向に駆動して開閉する駆動手段を連結してあるため、駆動装置を作動させるだけでシャッターを機械的にスライドでき、検査用の穀物の抜き取り操作が簡便である。
【０００８】
請求項３は、貯蔵タンクの側壁部ないし底壁部などに開けた抜き取り用の窓穴に被せて使用するための、底部に小型ホッパーのついた穀物抜き取り容器であって、前記窓穴を開閉するシャッターの左右両側を上下方向にガイドする溝を設けると共に、該溝の下部は、穀物が挟まらないように、少なくとも容器内部側の溝縁を除去してあることを特徴とする穀物の抜き取り容器である。このように、貯蔵タンクの窓穴を開閉するシャッターの左右両側を上下方向にガイドする溝を設けると共に、該溝の下部は、穀物が挟まらないように、少なくとも容器内部側の溝縁を除去してあるため、この抜き取り容器を、貯蔵タンクの窓穴に被せるようにして取付け固定するだけで、スムーズに試験用の穀物の抜き取りが可能となり、貯蔵タンク中の穀物の抜き取り操作が簡便となる。
【発明の効果】
【０００９】
請求項１のように、貯蔵タンクの側壁部ないし底壁部などに抜き取り用の窓穴を開けて、スライド式のシャッターでこの窓穴を開閉して、試験用の穀物を抜き取る構造であるため、貯蔵タンクの低い安全な位置を開閉し、穀物を抜き取って検査に供することができる。抜き取り量は、シャッターの開放時間によって任意に設定できる。また、底部に小型ホッパーのついた小容器を前記窓穴に被せて固定するだけであるから、この小容器に試験用穀物を一旦取り込んで、シャッターを閉じた状態で、小容器底部の小型ホッパーから排出させる。その結果、小容器中を残らず全部スムーズに排出でき、抜き取り作業が簡単になり、迅速に検査に取りかかることができる。
【００１０】
請求項２のように、前記窓穴の開閉シャッターを上下方向に駆動して開閉する駆動手段を連結してあるため、駆動装置を作動させるだけでシャッターを機械的にスライドでき、検査用の穀物の抜き取り操作が簡便である。
【００１１】
請求項３のように、貯蔵タンクの窓穴を開閉するシャッターの左右両側を上下方向にガイドする溝を設けると共に、該溝の下部は、穀物が挟まらないように、少なくとも容器内部側の溝縁を除去してあるため、この抜き取り容器を、貯蔵タンクの窓穴に被せるようにして取付け固定するだけで、スムーズに試験用の穀物の抜き取りが可能となり、貯蔵タンク中の穀物の抜き取り操作が簡便となる。
【発明を実施するための最良の形態】
【００１２】
次に本発明による穀物の抜き取り装置が実際上どのように具体化されるか実施形態を説明する。図１は本発明による穀物の抜き取り装置の概要を示す斜視図で、小型箱状の抜き取り容器１を貯蔵タンクの側壁２に取付け固定してある。貯蔵タンクの側壁２には、内部の米を抜き取る窓穴を開けてあるが、この窓穴を塞ぐように、抜き取り容器１を被せてあるので、この図では窓穴は現れない。
【００１３】
この抜き取り容器１の底部には小型ホッパー３を設けてあるので、貯蔵タンク２から抜き取り容器１中に取り込んだ検査米は、小型ホッパー３の底の漏斗状排出口４につないだ管Ｐから取り出して、試験に供する。
【００１４】
貯蔵タンクの窓穴を開閉するシャッターは、上下方向にスライドする構造になっており、上下方向にスライドさせる駆動手段としてエアシリンダー５を使用し、そのピストンロッド６をシャッターの操作板７に連結してある。
【００１５】
図２は、図１の抜き取り容器１を、貯蔵タンク２側から見た斜視図であり、鎖線で示す開口８が、貯蔵タンク２に開けてある試験米抜き取り窓穴のサイズと位置である。図１の抜き取り容器１の左右に、上下方向のつば９、１０を設けて、貯蔵タンク２への取付けネジ孔１１…を開けてある。１２が、窓穴８開閉用のシャッター板であり、閉じた状態を示している。このシャッター板１２の上端に、前記のシャッター操作板７がＬ字状に折り曲げ形成されている。４は、漏斗状の出口管である。
【００１６】
図２の抜き取り容器１のシャッター板１２を上方に開けた状態が図３であり、図１のエアシリンダー５を作動させて、ピストンロッド６でＬ字状の操作板７を引き上げてシャッター板１２をスライドさせ、窓穴８を開けてある。この状態では、漏斗状の小型ホッパー３の内側が見えており、その底部に前記の出口管４が連結されている。この抜き取り容器１は、シャッター板１２との間に米が挟まらないようにガイド溝を工夫してある。
【００１７】
図４は、前記のシャッターガイド溝を表現するための斜視図であり、ガイド溝の溝縁１３の下端部が１７のように除去されている。シャッター板１２の左右の端部は、このガイド溝縁１３と上下方向つば９、１０との間のガイド溝中にガイドされて、上下方向にスライドする。
【００１８】
図５は、図４のＡ−Ａ位置における水平断面図で、抜き取り容器１の左右の側壁１ａ、１ｂの前端（貯蔵タンク２側）を外側にＬ字状に折り曲げて、このＬ字状折り曲げ板１４に前記の左右の上下方向つば９、１０を重ねて溶接固定してある。この上下方向つば９、１０の内端１５・１５は、容器側壁１ａ、１ｂよりも内側に突出して、ガイド溝縁１５を成している。容器側壁１ａ、１ｂの内面には、前記ガイド溝縁１５と間隔をおいて、Ｌ字状に曲げた板を溶接固定して、ガイド溝縁１３を形成してある。したがって、このガイド溝縁１３と前記の上下方向つばのガイド溝縁１５との間の隙間１６がガイド溝となる。
【００１９】
この左右のガイド溝１６・１６の中に、鎖線で示す前記シャッター板１２の左右両端を挿入した状態で、上下方向にスライドさせる構造になっており、抜き取り容器１の内側のガイド溝縁１３は、図４のように、下部１７が除去されているので、シャッター板１２の下側と他の部分との間に米が挟まったりするのを防げる。その結果、挟まった米が邪魔して、シャッター板１２の上下動作に支障を来すような恐れもない。
【００２０】
図１は、貯蔵タンクの鉛直方向の側壁２に抜き取り容器１を取付け固定した状態であるのに対し、図６は、貯蔵タンク２のホッパー状の底部２ｈに取付けた例である。したがって、この場合は、ホッパー状に傾斜した底部２ｈに抜き取り用の窓穴（８）を開けて、この窓穴（８）に被せるように、抜き取り容器１を取付け固定して、そのシャッター板（１２）で窓穴（８）を開閉する構造となる。なお、以上の実施形態では、米の貯蔵タンクを例示したが、穀物であれば、米以外でも適用できる。
【００２１】
シャッター１２を開閉するエアシリンダー５の駆動は、手動スイッチで操作してもよいし、タイマーでシャッター１２の開放時間を設定してもよいが、シャッター１２が開いている間にタンク内の穀物が排出され、抜き取り量が決まる。したがって、抜き取り量の設定は任意にできる。
【産業上の利用可能性】
【００２２】
以上のように、本発明によると、穀物の貯蔵タンクの側壁や底壁に開けた窓穴に被せるように抜き取り容器を取付け固定するだけで、低くて安全な位置で、しかもエアシリンダーなどでシャッターを開閉操作して、小型ホッパー底部の漏斗状排出口から落下排出できるので、試験用の穀物の抜き取り操作が簡便となり、次工程の検査に円滑に取りかかることができる。
【図面の簡単な説明】
【００２３】
【図１】本発明による穀物の抜き取り装置の概要を示す斜視図である。
【図２】図１の抜き取り容器を貯蔵タンク側から見た斜視図である。
【図３】図１の抜き取り容器を貯蔵タンク側から見た斜視図である。
【図４】シャッターのガイド溝を表現するための斜視図である。
【図５】図４のＡ−Ａ位置における水平断面図である。
【図６】抜き取り容器を貯蔵タンクのホッパー状底壁に取付けた状態の側面図である。
【符号の説明】
【００２４】
１  抜き取り容器
２  貯蔵タンク（又は側壁）
３  小型ホッパー
４  漏斗状の排出口
５  エアシリンダー
６  ピストンロッド
７  操作板
８  窓穴  
９・１０  上下方向のつば
１１  取付けネジ孔
１２  シャッター板
１３・１５  溝縁
１４  Ｌ字状折り曲げ板
１６  ガイド溝  
１７  溝縁除去部
【図１】
2007044670.tif 000003
【図２】
2007044670.tif 000004
【図３】
2007044670.tif 000005
【図４】
2007044670.tif 000006
【図５】
2007044670.tif 000007
【図６】
2007044670.tif 000008